(57)【要約】【課題】  棒状化粧料繰出装置において、残り少なく一定量となったとき、棒状化粧料の保持筒、すなわち摺動ホルダーから中皿を取外し、取外した複数の異なる棒状化粧料を収納した中皿を、塗布具とともに収納するようにした化粧料容器を提供すること。【解決手段】  化粧料容器として、棒状化粧料繰出容器の摺動ホルダーから取出した化粧料が残り少なくなった中皿を、塗布具とともに収納し、中皿が、種類の異なる化粧料を収納した複数の中皿であることを特徴とする。【選択図】    図１
2007151611.tif 000002
【特許請求の範囲】
【請求項１】
棒状化粧料繰出容器の摺動ホルダーから取出した化粧料が残り少なくなった中皿を、塗布具とともに収納したことを特徴とする化粧料容器。
【請求項２】
中皿が、種類の異なる化粧料を収納した複数の中皿であることを特徴とする請求項１記載の化粧料容器。
【請求項３】
ケース本体と、ケース本体に装着された中皿支持枠と、蓋体とからなる化粧料容器であって、
中皿支持枠は、支持板に立設され、塗布具支持片と支持板から垂設され、内周に山部と谷部とからなる係合カムを設けた中皿保持筒を具備しており、
中皿支持枠に取着される中皿は、前記山部と谷部に対応する係合カムを設けた側周壁と、側周壁下端から垂設され、複数のスリットを穿設し、縮径自在な係合筒とを具備していることを特徴とする化粧料容器。
【請求項４】
化粧料の残り少なくなった中皿を棒状化粧料繰出容器から取出し、塗布具とともに化粧料容器に収納し、塗布具を用いて化粧料を塗布するようにしたことを特徴とする化粧料の塗布方法。
【発明の詳細な説明】
【技術分野】
【０００１】
本発明は、化粧料容器、とくに残り少なくなった棒状化粧料の中皿を塗布具とともに収納した化粧料容器に関するものである。
【背景技術】
【０００２】
口紅等の棒状化粧料の繰出し容器において、棒状化粧料が少なくなったときに、化粧料を保持する中皿（ホルダ）を保持筒（受皿）から抜き取り、新しい化粧料を保持した中皿（ホルダ）を保持筒（受皿）に付け替えるようにした繰出し容器は、従来より知られている（例えば、特許文献１参照）。
また、異なる種類の口紅を保持した複数個の保持筒と小型の繰出し容器、および塗布具とを収納した携帯容器も知られている（例えば、特許文献２）。
【特許文献１】実開昭６１−１８８５１６号公報
【特許文献２】実開昭５８−５４２１９号公報
【発明の開示】
【発明が解決しようとする課題】
【０００３】
口紅等の使用にあたって、一般には、棒状化粧料を直接塗布したり、塗布具を使って塗布しており、残り少なくなったときには、塗布具を使って、最後まで使用するようにしている。
しかしながら、特許文献１記載の繰出し容器では、口紅が残り少なくなった場合に、新しい口紅が入った中皿と付け替えており、古い中皿はそのまま廃棄するので、中皿と残った口紅等の化粧料が無駄になるという問題があった。
【０００４】
特許文献２記載の容器は、異なる種類の口紅を少量ずつ入れた中皿を繰出し容器に装着して、残り少なくなるまで使用できるが、中皿を繰出容器に取着しなければならず、繰出容器を化粧料容器に収納するので、容器が大型になるという問題があった。
【０００５】
本発明は、上記の事情を考え、棒状化粧料繰出装置において、残り少なく一定量となったとき、棒状化粧料の保持筒、すなわち摺動ホルダーから中皿を取外し、取外した複数の異なる棒状化粧料を収納した中皿を、塗布具とともに収納するようにした化粧料容器を提供することを目的とする。
【課題を解決するための手段】
【０００６】
本発明は、上記の課題を解決するため、化粧料容器として、棒状化粧料繰出容器の摺動ホルダーから取出した化粧料が残り少なくなった中皿を、塗布具とともに収納したことを特徴とする構成を採用し、中皿の実施例として、中皿が、種類の異なる化粧料を収納した複数の中皿であることを特徴とする構成を採用する。
【０００７】
化粧料容器の実施例として、ケース本体と、ケース本体に装着された中皿支持枠と、蓋体とからなる化粧料容器であって、中皿支持枠は、支持板に立設され、塗布具支持片と支持板から垂設され、内周に山部と谷部とからなる係合カムを設けた中皿保持筒を具備しており、中皿支持枠に取着される中皿は、前記山部と谷部に対応する係合カムを設けた側周壁と、側周壁下端から垂設され、複数のスリットを穿設し、縮径自在な係合筒とを具備していることを特徴とする構成を採用する。
【０００８】
化粧料の塗布方法として、化粧料の残り少なくなった中皿を棒状化粧料繰出容器から取出し、塗布具とともに化粧料容器に収納し、塗布具を用いて化粧料を塗布するようにしたことを特徴とする構成を採用する。
【発明の効果】
【０００９】
棒状化粧料繰出容器の摺動ホルダーから化粧料が残り少なくなった中皿を取出し、中皿を塗布具とともに化粧料容器の中皿保持筒に装着、収納し、塗布具によって口唇等所望の個所に塗布するようにしたので、棒状化粧料を最後まで無駄なく使いきることができるようになった。
また、種類の異なる化粧料を入れた複数の中皿を収納できるようにしたから、所望する化粧料を選択できるようになった。
そして、化粧料容器には、塗布具とともに、少量の化粧料を入れた中皿が複数個収納されているだけであるから、容器を小型にすることができ、携帯に便利となった。
【発明を実施するための最良の形態】
【００１０】
次に、本発明の化粧料容器の実施形態について、図面を参照して説明する。
図１において、Ａは化粧料容器で、ケース本体Ｂと蓋体Ｃ、および中皿支持枠Ｄから構成されている。
Ｅは残り少なくなった口紅、リップクリーム、その他の棒状化粧料を保持する中皿、Ｆは塗布具である。
【００１１】
図２に示すように、ケース本体Ｂは、ほぼ六角形の側周壁１と底壁２とからなり、側周壁１の所定の位置には、蝶番用の切欠部３が設けられ、切欠部３の両側面に軸穴３ａ、３ｂが穿設されている。
側周壁１の反対側の位置には、フック４が立設されており、両側の角部には、つまみ５が設けられている。
【００１２】
図３に示すように、蓋体Ｃは、ケース本体Ｂと同形の頂壁６と側周壁７とからなり、頂壁６の裏面には、鏡８が取着されている。
側周壁７の所定の位置には、軸穴９ａを穿孔した蝶番用の連結片９が垂設されており、その反対側の側周壁７裏面には、フック４と係合する凹部１０が設けられ、側周壁７表側下端には、つまみ１１が突設されている。
【００１３】
図４に示すように、中皿支持枠Ｄは、ケース本体Ｂの側周壁１頂面に支持される角形の支持板１２と、支持板１２の所定の位置に垂設された中皿保持筒１３、および中央部に立設された一対の塗布具保持片１４とを具えている。
支持板１２には、ケース本体Ｂの切欠部３に対応して切欠き１５が設けられ、反対側には、フック４に対応して切欠凹部１６が設けられており、中央部には、塗布具保持片１４の間に凹部１７が凹設されている。
【００１４】
中皿保持筒１３には、上端部内周に段部１８が設けられ、山部１９ａと谷部１９ｂとからなる係合カム２０が形成されている。
【００１５】
図１に示すように、化粧料容器Ａの組立は、ケース本体Ｂの側周壁１の天面に中皿支持枠Ｄが載置されて溶着、接着等によって装着され、蓋体Ｃの蝶番用の連結片９が切欠部３に合わされ、それぞれの軸穴３ａ、９ｂに蝶番ピン２１を差込むことによって蝶番が形成されて、蓋体Ｂが開閉されるようになっている。
次いで、残り少ない種類の異なる化粧料を入れた中皿Ｅと塗布具Ｆが収納され、化粧料容器が閉じられ、持ち運びされる。
【００１６】
前記実施例では、化粧料容器Ａの横断面形状を六角形としたが、四角形、または楕円形、円形としてもよく、複数の中皿保持筒１３と塗布具保持片１４を配設できるものであれば、実施例の形状に限定されない。
【００１７】
中皿Ｅは、棒状化粧料繰出容器において、棒状化粧料を収納し摺動ホルダーに取着されたもので、繰出容器の使用により、一定量以下に残り少なくなった化粧料Ｋを収納したものである。
【００１８】
ここで、棒状化粧料繰出容器について説明し、その中で中皿Ｅの構成を説明する。
図５に示すように、棒状化粧料繰出容器３０は、スリットを刻設した案内筒３１と、螺旋溝を刻設した螺旋案内筒３２とを具えた繰出機構と、外装部３３、および中皿Ｅを取着し繰出機構によって上下動される摺動ホルダー３４とを備えている。
図６に示すように、摺動ホルダー３４の側周壁３５には、内周上部に段部３６が設けられ、山部３７ａと谷部３７ｂとからなる係合カム３８が形成されており、下部外周には、案内筒３１のスリットに嵌挿され、螺旋案内筒３２の螺旋溝に係合する突出部３９が設けられている。  
【００１９】
中皿Ｅは、側周壁４０と底壁４１、および側周壁４０の下端から垂設された係合筒４２とから構成されている。
側周壁４０の外周には、段部４３が設けられ、その上方には、滑り止めのための多数の凸条４４が配設されており、段部４３の下方には、山部４５ａと谷部４５ｂとからなる係合カム４６が形成されている。
係合筒４２には、複数のスリット４７が設けられ、下端外周には、係止突条４８が突出されている。
【００２０】
中皿Ｅと摺動ホルダー３４との係合離脱は、中皿Ｅを摺動ホルダー３４に押込み、中皿Ｅの側周壁４０外周を把持して廻動すると、係合カム４６と係合カム３８が係合し、中皿Ｅの山部４５ａと摺動ホルダー３４の谷部３７ｂが当接するときには、中皿Ｅの係合筒４２の係止突条４８が側周壁３５の下端に係止し、摺動ホルダー３４と一体化される。
そして、中皿Ｅの山部４５ａと摺動ホルダー３４の山部３７ａが当接するときには、中皿Ｅは上方に上昇し、係合筒４２が縮径して中皿Ｅを摺動ホルダー３４から抜き出すことができる。
【００２１】
抜き出された中皿Ｅを、化粧料容器Ａの中皿保持筒１３に押込むと、中皿Ｅの係合筒４２が縮径して中皿保持筒１３内に嵌挿される。
その際、中皿Ｅの係合カム４６は、中皿保持筒１３の係合カム２０と係合し、係合カム２０の山部１９ａと、係合カム４６の谷部４５ｂが接合するときには、中皿Ｅは最下降位置を取り、係合筒４２の係止突条４８が中皿保持筒１３の下端に係合して保持される。
【００２２】
塗布具Ｆは、ブラシ毛を集束した筒（図示されない）を出し入れ自在に嵌挿した筒体５０と、筒体５０に設けたスリットから突出するつまみ５１を備えているが、従来公知のブラシ毛を装着した筒体であってもよく、とくに限定されない。
【００２３】
次に、本発明化粧料容器の作用効果について説明する。
化粧料容器Ａには、残り少なくなった化粧料の入った中皿Ｅと、塗布具Ｆが収納されており、中皿Ｅには、棒状化粧料繰出容器で使用され、残り少なくなった一定量の化粧料が収納されているので、塗布具を使って口唇等所要の個所に塗布することができ、化粧料を最後まで無駄なく使いきることができる。
また、残余の種類の異なる化粧料Ｋを収納した複数の中皿Ｅが用意されており、塗布具Ｆを使って所望する化粧料を塗布することができる。  
【００２４】
中皿に収納している化粧料は、ほぼ中皿いっぱいの量であり、塗布具とともに複数の小容量の中皿だけが収納されるので、化粧料容器は小型であり、また、所望する化粧料がそろっていると、複数の棒状化粧料繰出容器を持ち運びする必要もなく携帯に便利である。
【００２５】
上記実施形態では、中皿と摺動ホルダーとを、中皿を廻動することによって係合カムを介して着脱するようにしているが、ねじを使って着脱するようにしてもよく、その場合には、有底の保持筒に嵌挿しておくだけでよいので、中皿と化粧料容器の保持筒の形状は、実施例に限定されない。
【００２６】
また、上記実施形態では、中皿の側周壁４０外周を把持して廻動するようにしたが、操作部材を外周に嵌挿して廻動させるようにしてもよい。
【産業上の利用可能性】
【００２７】
本発明は、棒状化粧料繰出容器の摺動ホルダーから化粧料が残り少なくなった中皿を取外して、化粧料容器の中皿保持筒に装着し、塗布具を使って塗布できるので、化粧料を最後まで使いきることができるようになった。
口紅、リップクリーム等の棒状化粧料をはじめ、直接塗布と、塗布具による塗布ができる化粧料に広く利用できる。
【図面の簡単な説明】
【００２８】
【図１】本発明の化粧料容器の断面立面図である。
【図２】ケース本体の説明図で、（ａ）は上面図、（ｂ）は断面立面図である。
【図３】蓋体の説明図で、（ａ）は上面図、（ｂ）は断面立面図である。
【図４】中皿支持枠の説明図で、（ａ）は上面図、（ｂ）は断面立面図、（ｃ）は図（ａ）のＡ−Ａ線における断面図である。
【図５】棒状化粧料繰出容器の一部断面立面図である。
【図６】中皿と摺動ホルダーの分解図である。
【符号の説明】
【００２９】
Ａ        化粧料容器
Ｂ        ケース本体
Ｃ        蓋体
Ｄ        中皿支持枠
Ｅ        中皿
Ｆ        塗布具
Ｋ        化粧料
１        側周壁
２        底壁
３        切欠部
３ａ，３ｂ、９ａ，９ｂ  軸穴
４        フック
５        つまみ
６        頂壁
７        側周壁
８        鏡
９        連結片
１０      凹部
１１      つまみ
１２      支持板
１３      中皿保持筒
１４      塗布具保持片
１５      切欠き
１６      切欠凹部
１７      凹部
１８、３６、４３  段部
１９ａ、３７ａ、４５ａ  山部
１９ｂ、３７ｂ、４５ｂ  谷部
２０、３８、４６  係合カム
２１      蝶番ピン
３０      棒状化粧料繰出容器
３１      案内筒
３２      螺旋案内筒
３３      外装部
３４      摺動ホルダー
３５      側周壁
３９      突出部
４０      側周壁
４１      底壁
４２      係合筒
４４      凸条
４７      スリット
４８      係止突条
【図１】
2007151611.tif 000003
【図２】
2007151611.tif 000004
【図３】
2007151611.tif 000005
【図４】
2007151611.tif 000006
【図５】
2007151611.tif 000007
【図６】
2007151611.tif 000008